(57)【要約】【課題】表示装置に表示されている表示情報を操作する操作権を持つユーザから他のユーザへ円滑に操作権を移行する場合、表示装置における実質的な表示領域を減らすことのない表示制御装置及びテレビ会議システムを提供する。【解決手段】リモコン情報データテーブルからポインタ座標値が読み込まれる（Ｓ１１）。そして、操作権を有するリモコンに対応したポインタ座標値と、その他のポインタ座標値との相対距離が算出され（Ｓ１２）、所定距離以下のポインタ組があるかどうか判断される（Ｓ１４）。所定距離以下のポインタ組があると判断された状態で、操作権を有するリモコンから、決定ボタンによる操作情報を取得したかどうかが判断され（Ｓ１５）、決定ボタンを押されたと判断した場合（Ｓ１５：ＹＥＳ）、他のポインタに対応するリモコンへ操作権を付与する操作権付与処理を実行する。【選択図】  図１２
2010085554.tif 000002
【特許請求の範囲】
【請求項１】
表示装置に表示した基本表示情報に対して複数のリモコンに対応する各ポインタを表示し、複数のリモコンの内少なくとも１つから指示を受け付けて前記基本表示情報を制御する表示制御装置において、
前記表示装置に前記各リモコンに対応する各ポインタを表示するためのポインタ指示座標情報及び、リモコン識別情報を含むリモコン情報を取得するリモコン情報取得手段と、
前記リモコン情報取得手段により取得されたリモコン情報に基づいて、前記表示装置に前記各ポインタを表示するための表示データを作成する表示データ作成手段と、
前記表示データ作成手段により作成された前記表示データを前記表示装置へ出力する表示データ出力手段と、
前記複数のリモコンの内少なくとも１つのリモコンへ、前記表示装置に表示されている基本表示情報を操作できる操作権を付与する操作権付与手段と、
前記リモコンに設けられ、操作情報を出力する操作手段と、
前記ポインタ指示座標情報に基づいて、前記表示装置内での複数の前記ポインタの表示位置の相対距離を算出し、前記相対距離が所定距離より大きいか以下かの状態を判定するポインタ表示状態判定手段とを備え、
前記操作権付与手段は、前記操作権を付与されているリモコンに対応するポインタとの相対距離が、前記ポインタ表示状態判定手段により所定距離以下の状態に他のポインタがあると判定され、かつ前記操作手段から操作情報を取得したとき、前記他のポインタに対応するリモコンへ、操作権を付与することを特徴とする表示制御装置。
【請求項２】
前記操作権を付与されているリモコンに設けられている前記操作手段から操作情報を取得した場合、少なくとも１つの前記ポインタの表示位置を前記表示装置内で所定時間固定させるポインタ表示位置固定手段をさらに備え、
前記操作権付与手段は、前記固定状態において前記所定距離以下の状態にある前記ポインタに対応するリモコンへ前記操作権を付与することを特徴とする請求項１に記載の表示制御装置。
【請求項３】
前記ポインタ表示位置固定手段は、前記操作権を付与されているリモコンに設けられている前記操作手段から操作情報を取得した場合、前記操作権を付与されていない全てのリモコンに対応するポインタの表示位置を、所定時間固定させることを特徴とする請求項２に記載の表示制御装置。
【請求項４】
前記ポインタ表示位置固定手段は、前記操作権を付与されていないリモコンに設けられている前記操作手段から操作情報を取得した場合、そのリモコンに対応するポインタの表示位置を、所定時間固定させることを特徴とする請求項２に記載の表示制御装置。
【請求項５】
前記ポインタ表示位置固定手段は、操作権を付与されているリモコンに設けられている前記操作手段から操作情報を取得している間中は、ポインタの表示位置を固定させることを特徴とする請求項２乃至４のいずれかに記載の表示制御装置。
【請求項６】
前記ポインタ表示状態判定手段により、所定距離以下の状態であると判定されたポインタが複数ある場合は、前記操作権を付与されているリモコンに対応するポインタから最も相対距離が小さいポインタに対応するリモコンへ、前記操作権付与手段は前記操作権を付与することを特徴とする請求項１乃至５のいずれかに記載の表示制御装置。
【請求項７】
ユーザに関する情報を記憶したユーザ情報記憶手段と、
前記ユーザ情報と前記リモコン識別情報とを対応付けてリモコンユーザ識別情報を記憶するリモコンユーザ識別情報記憶手段とを備え、
前記表示データ作成手段は、前記リモコンユーザ識別情報を含む表示データを作成することを特徴とする請求項１乃至６のいずれかに記載の表示制御装置。
【請求項８】
前記リモコンユーザ識別情報記憶手段はユーザ名を含むリモコンユーザ識別情報を記憶し、
前記表示データ作成手段は、前記ユーザ名を含む表示データを作成することを特徴とする請求項７に記載の表示制御装置。
【請求項９】
前記操作権付与手段により前記操作権がリモコンに新たに付与された時、前記表示データ作成手段は、前記操作権が付与されたリモコンに対応するポインタの表示状態を変化させる表示データを作成することを特徴とする請求項１乃至８のいずれかに記載の表示制御装置。
【請求項１０】
複数の拠点に、リモコン及び表示装置と接続された端末装置を備え、その複数の端末をネットワークを介して接続したテレビ会議システムにおいて、
前記表示装置へ前記各リモコンに対応する各ポインタを表示するためのポインタ指示座標情報及び、リモコン識別情報を含むリモコン情報を取得するリモコン情報取得手段と、
前記リモコン情報取得手段により取得されたリモコン情報に基づいて、前記表示装置内での前記リモコン識別情報に対応した識別情報を含む前記ポインタの表示データを作成する表示データ作成手段と、
前記表示データ作成手段により作成された前記表示データを前記表示装置へ出力する表示データ出力手段と、
前記複数のリモコンの内少なくとも１つのリモコンへ、前記表示装置に表示されている基本表示情報を操作できる操作権を付与する操作権付与手段と、
前記ポインタ指示座標情報に基づいて、前記表示装置内で複数の前記ポインタの表示位置の相対距離を算出し、前記相対距離が所定距離より大きいか以下かの状態を判定するポインタ表示状態判定手段とを備え、
前記操作権付与手段は、前記操作権を付与されているリモコンに対応するポインタとの相対距離が、前記ポインタ表示状態判定手段により所定距離以下の状態に他のポインタがあると判定され、かつ前記操作手段から操作情報を取得したとき、前記他のポインタに対応するリモコンへ、操作権を付与することを特徴とするテレビ会議システム。
【請求項１１】
前記操作権が付与された各リモコンに設けられている前記操作手段から操作情報を取得した場合、少なくとも１つの前記ポインタの表示位置を前記表示装置内で所定時間固定させるポインタ表示位置固定手段をさらに備え、
前記操作権付与手段は、前記固定状態において前記所定距離以下の状態にある前記ポインタに対応するリモコンへ前記操作権を付与することを特徴とする請求項１０に記載のテレビ会議システム。
【請求項１２】
ユーザに関する情報を記憶したユーザ情報記憶手段と、
前記ユーザ情報と前記リモコン識別情報とを対応付けてリモコンユーザ識別情報を記憶するリモコンユーザ識別情報記憶手段とを備え、
前記表示データ作成手段は、前記リモコンユーザ識別情報を含む表示データを作成することを特徴とする請求項１０乃至１１のいずれかに記載のテレビ会議システム。
【請求項１３】
前記ユーザ情報記憶手段には、前記テレビ会議システムに参加するユーザの内、一部のユーザにのみ与えられる議長権に関する議長権情報が前記ユーザ情報と対応して記憶されており、前記リモコンユーザ識別情報記憶手段において前記議長権情報に対応して記憶されたリモコンに、前記操作権付与手段は前記操作権を常時付与することを特徴とする請求項１２に記載のテレビ会議システム。
【請求項１４】
前記リモコンユーザ識別情報記憶手段において前記議長権情報に対応して記憶されたリモコンに設けられている前記操作手段から、操作情報を取得した場合、前記ポインタ表示位置固定手段はその他のポインタ全ての表示位置を固定し、さらに前記ポインタ表示状態判定手段により前記議長権情報に対応したリモコンが指示するポインタとの相対距離が、所定距離以下の状態であると判定されたポインタの内、前記操作権を付与されているリモコンに対応するポインタがある場合には、前記操作権を付与されている前記リモコンの操作権を解除する操作権解除手段を備えることを特徴とする請求項１３に記載のテレビ会議システム。
【発明の詳細な説明】
【技術分野】
【０００１】
本発明は、複数のリモコンから指示を受け付けて表示装置を制御する表示制御装置、及びテレビ会議システムに関する。
【背景技術】
【０００２】
従来、通信網を介して複数の相手と映像・音声・データを転送することにより、いわゆる多地点会議を行うテレビ会議システム（特許文献１参照）が知られている。そのようなテレビ会議システムの各地点のテレビ会議装置では、各地点の会議映像が表示され且つ複数の会議参加者がアクセス可能な共有画面が設けられている。また、テレビ会議装置では会議参加者が各々に対応付けられたリモコンを操作し、共有画面上の特定場所を指示するポインタを制御している。
【０００３】
一般にこの種のテレビ会議システムでは、ポインタの表示位置を利用して共有画面を操作することができる操作権を、会議参加者（ユーザ）の内の一人に制限して付与することで、複数のユーザの同時操作による混乱を防ぎ、共有画面の操作が円滑に行われている。
【０００４】
また、上記特許文献１のシステムでは、共有画面にならべてメニュー画面を表示させおき、ユーザが会話中であるか、最後に音声を発してから所定の時間内に、そのユーザがメニュー画面を操作することにより操作権を取得することができるようになっている。その結果、自身のポインタが共有画面に表示されるとともに、共有画面へのデータの入力、データの修正などが可能になる。
【特許文献１】特開平８−１６３１２２公報（段落００２４から００２７）
【発明の開示】
【発明が解決しようとする課題】
【０００５】
しかしながら上記特許文献１のシステムでは、複数のユーザが会話中である場合、複数のユーザが自由にメニュー画面を用いて操作権を同時に取得する可能性があり、共有画面の操作が煩雑になるだけでなく、ユーザにとっても分かりにくい会議になる。また、共有画面にならべてメニュー画面を表示させるので、表示装置において使用できる表示領域を狭くしてしまうという問題があった。
【０００６】
本発明は、上記問題点を解決するためになされたものであり、表示装置に表示されている表示情報を操作する操作権を持つユーザから他のユーザへ円滑に操作権を移行するとともに、表示装置における実質的な表示領域を減らすことのない表示制御装置及びテレビ会議システムを提供することを目的とする。
【課題を解決するための手段】
【０００７】
上記目的を達成するために、請求項１に係る発明の表示制御装置は、表示装置に表示した基本表示情報に対して複数のリモコンに対応する各ポインタを表示し、複数のリモコンの内少なくとも１つから指示を受け付けて前記基本表示情報を制御する表示制御装置において、前記表示装置に前記各リモコンに対応する各ポインタを表示するためのポインタ指示座標情報及び、リモコン識別情報を含むリモコン情報を取得するリモコン情報取得手段と、前記リモコン情報取得手段により取得されたリモコン情報に基づいて、前記表示装置に前記各ポインタを表示するための表示データを作成する表示データ作成手段と、前記表示データ作成手段により作成された前記表示データを前記表示装置へ出力する表示データ出力手段と、前記複数のリモコンの内少なくとも１つのリモコンへ、前記表示装置に表示されている基本表示情報を操作できる操作権を付与する操作権付与手段と、前記リモコンに設けられ、操作情報を出力する操作手段と、前記ポインタ指示座標情報に基づいて、前記表示装置内での複数の前記ポインタの表示位置の相対距離を算出し、前記相対距離が所定距離より大きいか以下かの状態を判定するポインタ表示状態判定手段とを備え、前記操作権付与手段は、前記操作権を付与されているリモコンに対応するポインタとの相対距離が、前記ポインタ表示状態判定手段により所定距離以下の状態に他のポインタがあると判定され、かつ前記操作手段から操作情報を取得したとき、前記他のポインタに対応するリモコンへ、操作権を付与することを特徴とする。
【０００８】
ここで、操作手段から操作情報は、複数のポインタ間が所定距離以下の状態になる前、あるいは所定距離以下の状態になった後のいずれに取得するようにしてもよい。
【０００９】
請求項２に係る発明の表示制御装置は、請求項１に記載の発明の構成に加え、前記操作権を付与されているリモコンに設けられている前記操作手段から操作情報を取得した場合、少なくとも１つの前記ポインタの表示位置を前記表示装置内で所定時間固定させるポインタ表示位置固定手段をさらに備え、前記操作権付与手段は、前記固定状態において前記所定距離以下の状態にある前記ポインタに対応するリモコンへ前記操作権を付与することを特徴とする。
【００１０】
ここで、操作手段からの操作情報は、1)ポインタの表示位置を所定時間固定させるためと、その後、2)複数のポインタ間が所定距離以下の状態にあるとき他のポインタに対応するリモコンへ操作権を付与するためとの、一連の動作を司るものであってもよい。また、操作手段から１つの操作情報は、上記1)のためのみとし、さらに新たな操作情報によって、上記2)の動作を行うようにしてもよい。
【００１１】
請求項３に係る発明の表示制御装置は、請求項２に記載の発明の構成に加え、前記ポインタ表示位置固定手段は、前記操作権を付与されているリモコンに設けられている前記操作手段から操作情報を取得した場合、前記操作権を付与されていない全てのリモコンに対応するポインタの表示位置を、所定時間固定させることを特徴とする。
【００１２】
請求項４に係る発明の表示制御装置は、請求項２に記載の発明の構成に加え、前記ポインタ表示位置固定手段は、前記操作権を付与されていないリモコンに設けられている前記操作手段から操作情報を取得した場合、そのリモコンに対応するポインタの表示位置を、所定時間固定させることを特徴とする。
【００１３】
請求項５に係る発明の表示制御装置は、請求項２乃至４のいずれかに記載の発明の構成に加え、前記ポインタ表示位置固定手段は、操作権を付与されているリモコンに設けられている前記操作手段から操作情報を取得している間中は、ポインタの表示位置を固定させることを特徴とする。
【００１４】
請求項６に係る発明の表示制御装置は、請求項１乃至５のいずれかに記載の発明の構成に加え、前記ポインタ表示状態判定手段により、所定距離以下の状態であると判定されたポインタが複数ある場合は、前記操作権を付与されているリモコンに対応するポインタから最も相対距離が小さいポインタに対応するリモコンへ、前記操作権付与手段は前記操作権を付与することを特徴とする。
【００１５】
請求項７に係る発明の表示制御装置は、請求項１乃至６のいずれかに記載の発明の構成に加え、ユーザに関する情報を記憶したユーザ情報記憶手段と、前記ユーザ情報と前記リモコン識別情報とを対応付けてリモコンユーザ識別情報を記憶するリモコンユーザ識別情報記憶手段とを備え、前記表示データ作成手段は、前記リモコンユーザ識別情報を含む表示データを作成することを特徴とする。
【００１６】
請求項８に係る発明の表示制御装置は、請求項７に記載の発明の構成に加え、前記リモコンユーザ識別情報記憶手段はユーザ名を含むリモコンユーザ識別情報を記憶し、前記表示データ作成手段は、前記ユーザ名を含む表示データを作成することを特徴とする。
【００１７】
請求項９に係る発明の表示制御装置は、請求項１乃至８のいずれかに記載の発明の構成に加え、前記操作権付与手段により前記操作権がリモコンに新たに付与された時、前記表示データ作成手段は、前記操作権を付与されたリモコンに対応するポインタの表示状態を変化させる表示データを作成することを特徴とする。
【００１８】
請求項１０に係る発明のテレビ会議システムでは、複数の拠点に、リモコン及び表示装置と接続された端末装置を備え、その複数の端末をネットワークを介して接続したテレビ会議システムにおいて、前記表示装置へ前記各リモコンに対応する各ポインタを表示するためのポインタ指示座標情報及び、リモコン識別情報を含むリモコン情報を取得するリモコン情報取得手段と、前記リモコン情報取得手段により取得されたリモコン情報に基づいて、前記表示装置内での前記リモコン識別情報に対応した識別情報を含む前記ポインタの表示データを作成する表示データ作成手段と、前記表示データ作成手段により作成された前記表示データを前記表示装置へ出力する表示データ出力手段と、前記複数のリモコンの内少なくとも１つのリモコンへ、前記表示装置に表示されている基本表示情報を操作できる操作権を付与する操作権付与手段と、前記ポインタ指示座標情報に基づいて、前記表示装置内で複数の前記ポインタの表示位置の相対距離を算出し、前記相対距離が所定距離より大きいか以下かの状態を判定するポインタ表示状態判定手段とを備え、前記操作権付与手段は、前記操作権を付与されているリモコンに対応するポインタとの相対距離が、前記ポインタ表示状態判定手段により所定距離以下の状態に他のポインタがあると判定され、かつ前記操作手段から操作情報を取得したとき、前記他のポインタに対応するリモコンへ、操作権を付与することを特徴とする。
【００１９】
請求項１１に係る発明の表示制御装置は、請求項１０に記載の発明の構成に加え、前記操作権が付与された各リモコンに設けられている前記操作手段から操作情報を取得した場合、少なくとも１つの前記ポインタの表示位置を前記表示装置内で所定時間固定させるポインタ表示位置固定手段をさらに備え、前記操作権付与手段は、前記固定状態において前記所定距離以下の状態にある前記ポインタに対応するリモコンへ前記操作権を付与することを特徴とする。
【００２０】
請求項１２に係る発明の表示制御装置は、請求項１０乃至１１のいずれかに記載の発明の構成に加え、ユーザに関する情報を記憶したユーザ情報記憶手段と、前記ユーザ情報と前記リモコン識別情報とを対応付けてリモコンユーザ識別情報を記憶するリモコンユーザ識別情報記憶手段とを備え、前記表示データ作成手段は、前記リモコンユーザ識別情報を含む表示データを作成することを特徴とする。
【００２１】
請求項１３に係る発明の表示制御装置は、請求項１２に記載の発明の構成に加え、前記ユーザ情報記憶手段には、前記テレビ会議システムに参加するユーザの内、一部のユーザにのみ与えられる議長権に関する議長権情報が前記ユーザ情報と対応して記憶されており、前記リモコンユーザ識別情報記憶手段において前記議長権情報に対応して記憶されたリモコンに、前記操作権付与手段は前記操作権を常時付与することを特徴とする。
【００２２】
請求項１４に係る発明の表示制御装置は、請求項１３に記載の発明の構成に加え、前記リモコンユーザ識別情報記憶手段において前記議長権情報に対応して記憶されたリモコンに設けられている前記操作手段から、操作情報を取得した場合、前記ポインタ表示位置固定手段はその他のポインタ全ての表示位置を固定し、さらに前記ポインタ表示状態判定手段により前記議長権情報に対応したリモコンが指示するポインタとの相対距離が、所定距離以下の状態であると判定されたポインタの内、前記操作権を付与されているリモコンに対応するポインタがある場合には、前記操作権を付与されている前記リモコンの操作権を解除する操作権解除手段を備えることを特徴とする。
【発明の効果】
【００２３】
請求項１に係る発明の表示制御装置では、表示装置内での複数のポインタの相対距離を算出して、操作権を付与されているリモコンに対応するポインタと他のポインタとの相対距離が所定距離以下かどうかを判定し、所定距離以下と判定され、さらに操作手段から操作情報を取得した場合、操作権を他のポインタに対応するリモコンへ付与することができる。したがって、操作権を有しているユーザのポインタと、操作権を付与したい他のユーザのポインタとを近づけることで、他のユーザが表示装置内の基本表示情報を操作することができるようになる。また、他のユーザに操作権を付与するために、表示装置内で専用メニュー画面等の余分なスペースを必要とせず、ポインタの操作で容易に操作権を付与することができる。
【００２４】
請求項２に係る発明の表示制御装置では、操作権を付与されているリモコンから操作情報を取得した場合、他のポインタの表示位置を所定時間固定させることができる。したがって、請求項１に記載の発明の効果に加え、操作権を付与されているリモコンユーザは、固定されている他のポインタに、自身のポインタを正確に近づけることができるので、他のユーザに容易に操作権を付与することができる。
【００２５】
請求項３に係る発明の表示制御装置では、操作権を付与されているリモコンから操作情報を取得した場合、他の全てのポインタの表示位置を所定時間固定させることができる。したがって、請求項２に記載の発明の効果に加え、操作権を付与されているリモコンユーザは、他のポインタの動作が邪魔にならず、操作権を付与したいリモコンに対応するポインタへ、正確に自身のポインタを近づけることができるので、より容易に他のユーザに操作権を付与することができる。
【００２６】
請求項４に係る発明の表示制御装置では、操作権を付与されていないリモコンから操作情報を取得した場合、そのリモコンに対応するポインタの表示位置を固定させることができる。したがって、請求項２に記載の発明の効果に加え、操作権を付与されていないリモコンユーザは、操作権を付与されているリモコンユーザへ操作権を付与して欲しいという意思表示をすることができる。
【００２７】
請求項５に係る発明の表示制御装置では、操作権を付与されているリモコンから操作情報を取得している間中は、ポインタの表示位置を固定させることができる。したがって、請求項２乃至４のいずれかに記載の発明の効果に加え、操作権を付与されているリモコンユーザは、より確実に他のユーザへ操作権を付与することができる。
【００２８】
請求項６に係る発明の表示制御装置では、表示装置内で、所定距離以下の状態であると判定されたポインタが複数ある場合、操作権を付与されているリモコンに対応するポインタから、最も相対距離が小さいポインタに対応するリモコンへ、操作権を付与することができる。したがって、請求項１乃至５のいずれかに記載の発明の効果に加え、操作権を付与されているリモコンユーザは、自身のポインタに最も近いポインタに対応するリモコンユーザへ、確実に操作権を移行することができる。
【００２９】
請求項７に係る発明の表示制御装置では、ユーザ情報とリモコン識別情報を対応付けて表示データを作成することができる。したがって、請求項１乃至６のいずれかに記載の発明の効果に加え、リモコンユーザは表示画面上で各ポインタがどのユーザのものか知ることができるので、操作権を付与する場合、ユーザ間違い等が無く、正確に操作権を移行することができる。
【００３０】
請求項８に係る発明の表示制御装置ではユーザ情報とリモコン識別情報をユーザ名を含む表示データを作成することができる。したがって、請求項７に記載の発明の効果に加え、リモコンユーザはユーザ名を表示データにより知ることができるので、他のユーザを間違えることなくより正確にユーザを特定することができる。
【００３１】
請求項９に係る発明の表示制御装置では、操作権がリモコンに新たに付与された時、操作権が付与されたリモコンに対応するポインタの表示状態を変化させる表示データを作成することができる。したがって、請求項１乃至８のいずれかに記載の発明の効果に加え、リモコンユーザは、表示データの表示状態を見ることで、操作権が確実に付与されたことを確認できる。
【００３２】
請求項１０に係る発明のテレビ会議システムでは、表示装置内での複数のポインタの相対距離をそれぞれ算出して、操作権を付与されているリモコンに対応するポインタと他のポインタとの相対距離が所定距離以下かどうかを判定し、所定距離以下と判定され、さらに操作手段から操作情報を取得した場合、操作権を他のポインタに対応するリモコンへ付与することができる。したがって、操作権を有しているユーザのポインタと、操作権を付与したい他のユーザのポインタとを近づけることで、他のユーザが表示装置内の基本表示情報を操作することができるようになる。また、他のユーザに操作権を付与するために、会議中でも表示装置内で専用メニュー画面等の余分なスペースを必要とせず、ポインタの操作で容易に操作権を付与することができる。
【００３３】
請求項１１に係る発明のテレビ会議システムでは、操作権を付与されているリモコンから操作情報を取得した場合、他のポインタの表示位置を所定時間固定させることができる。したがって、請求項１０に記載の発明の効果に加え、操作権を付与されているリモコンユーザは、固定されている他のポインタに、自身のポインタを正確に近づけることができるので、会議中でも容易に操作権を付与することができる。
【００３４】
請求項１２に係る発明のテレビ会議システムでは、ユーザ情報とリモコン識別情報を対応付けて表示データを作成することができる。したがって、請求項１０乃至１１のいずれかに記載の発明の効果に加え、リモコンユーザは表示画面上で各ポインタがどのユーザのものか知ることができるので、操作権を付与する場合、ユーザ間違い等が無く、正確に操作権を付与することができる。
【００３５】
請求項１３に係る発明のテレビ会議システムでは、テレビ会議システムに参加するユーザの内、一部のユーザにのみ与えられる議長権に関する議長権情報がユーザ情報と対応して記憶されており、議長権情報に対応して記憶されたリモコンに操作権を常時付与することができる。したがって、請求項１２に記載の発明の効果に加え、議長権を持っているリモコンユーザは、他に操作権を付与されたリモコンユーザがいる場合でも、常に表示装置内の基本表示情報を制御することができる。
【００３６】
請求項１４に係る発明のテレビ会議システムでは、議長権情報に対応して記憶されたリモコンから操作情報を取得した場合、その他のポインタ全ての表示位置を固定し、さらに議長権情報に対応したリモコンが指示するポインタとの相対距離が、所定距離以下の状態であると判定されたポインタの内、操作権が付与されているリモコンに対応するポインタがある場合には、操作権を付与されているリモコンの操作権を解除することができる。したがって、請求項１３に記載の発明の効果に加え、議長権を持っているリモコンユーザは、操作権を付与されている他のリモコンユーザに、必要以上に表示装置内の基本表示情報を操作されることを防ぐことができる。
【発明を実施するための最良の形態】
【００３７】
以下、本発明を具現化した実施の形態について、図面を参照して説明する。なお、参照する図面は、本発明が採用しうる技術的特徴を説明するために用いられるものであり、記載されている装置の構成、各種処理のフローチャートなどは、特に特定的な記載がない限り、それのみに限定する趣旨ではなく、単なる説明例である。
【００３８】
最初に、図１を参照して、本実施形態に係るテレビ会議システム１００の全体構成について説明する。
【００３９】
図１に示すように、テレビ会議システム１００は、サーバである表示制御装置１０、多地点接続装置４０、ならびに、拠点３０に設けられたテレビ（ＴＶ）会議端末装置５０を含み、これらはすべてネットワーク２０に接続されている。ネットワーク２０としては、例えば、ＩＰ（Ｉｎｔｅｒｎｅｔ  Ｐｒｏｔｏｃｏｌ）やＩＳＤＮ（Ｉｎｔｅｇｒａｔｅｄ  Ｓｅｒｖｉｃｅｓ  Ｄｉｇｉｔａｌ  Ｎｅｔｗｏｒｋ）等のネットワークを採用することができる。図１では、拠点３０は１つしか図示されていないが、実際には複数が存在する。拠点３０は、例えばある企業の同一サイト内に複数存在してもよいし、異なる事業所内や、異なる地域や国に点在して存在していてもよい。
【００４０】
表示制御装置１０は、例えば、周知のパーソナルコンピュータであり、汎用型の装置である。表示制御装置１０は、ネットワーク２０を介して接続された複数の拠点３０間でＴＶ会議端末装置５０を用いて行われるＴＶ会議（以下、単に会議という）に関する各種の処理を行う。表示制御装置１０の構成、および表示制御装置１０で行われる各種処理の詳細については後述する。
【００４１】
なお、本実施例はクライアント−サーバ型の構成を採っているが、Ｐ２Ｐ（ｐｅｅｒ  ｔｏ  ｐｅｅｒ）型の構成を採っても良い。
【００４２】
多地点接続装置４０は、ネットワーク２０を介して複数の拠点３０に備えられたＴＶ会議端末装置５０と接続し、端末装置５０からの画像、音声、データ等を中継することにより、多地点間のＴＶ会議を実現する装置である。なお、以下では、多地点接続装置（Ｍｕｌｔｉｐｏｉｎｔ  Ｃｏｎｔｒｏｌ  Ｕｎｉｔ）４０を、ＭＣＵ４０と略称する。
【００４３】
ＴＶ会議端末装置５０としては、画像および音声データを圧縮符号化して送信するとともに、受信した圧縮符号化された画像および音声データを復号化して出力することが可能なコーデックを内蔵した、公知のＴＶ会議端末装置を採用することができる。ＴＶ会議端末装置５０には、ＭＣＵ４０から送信された画像を表示する表示装置５１、拠点３０における会議参加者を撮影するカメラ５２、音声を入力するマイク５３、音声を出力するスピーカ５４、キーボードなどの入力装置５６が接続され、さらに、会議参加者が表示装置５１へポインタを表示指示するためのリモートコントローラ（以下「リモコン」と称す）６（６０１〜６０２）がリモコン通信装置５５を介して接続されている。
【００４４】
リモコン６は、ポインタ指示座標情報及びリモコンＩＤ（リモコンを識別するための識別情報）を含むリモコン情報をリモコン通信装置５５へ赤外線に載せて送信する。リモコン通信装置５５には、赤外線受信回路が設けられており、リモコン６から送信された信号を受信する。リモコン６とリモコン通信装置５５との間の通信は、上記赤外線以外に信号線、無線などを用いることもできる。リモコン通信装置５５で取得したリモコン情報を端末装置５０は表示制御装置１０へ定期的（例えば、２０ミリ秒ごと）に出力する。そして、表示制御装置１０では、複数の拠点３０から受信したリモコン情報に基づいて表示データを作成し、各拠点３０の端末装置５０を経由して表示装置５１にポインタを表示させる。
表示装置５１でのポインタ表示状態について、詳細は後述する。
【００４５】
次に、図２〜図３を参照して、表示制御装置１０、およびリモコン６の電気的構成について説明する。
【００４６】
図２に示すように表示制御装置１０は、ＣＰＵ１１と、ＣＰＵ１１に各々接続されたＲＯＭ１２およびＲＡＭ１３を備えている。ＣＰＵ１１には、その他、入出力（Ｉ／Ｏ）インタフェイス１４が接続されている。Ｉ／Ｏインタフェイス１４には、記録装置（ハードディスク装置（ＨＤＤ）など、以下「ＨＤＤ」と称す）１５、マウスコントローラ１６、ビデオコントローラ１７、キーコントローラ１８、および通信装置１９が接続されている。
【００４７】
ＣＰＵ１１は、表示制御装置１０の全体の制御を司る。ＲＯＭ１２は、ＢＩＯＳを含む、表示制御装置１０を動作させるための各種のプログラムやそのための設定値を記憶している。ＣＰＵ１１は、ＲＯＭ１２や、後述するＨＤＤ１５に記憶されたプログラムに従って、表示制御装置１０の動作を制御する。ＲＡＭ１３は、各種データを一時的に記憶するための記憶装置である。マウスコントローラ１６、ビデオコントローラ１７、キーコントローラ１８には、それぞれマウス１６１、表示装置１７１、およびキーボード１８１が接続されている。通信装置１９は、ネットワーク２０に接続し、会議端末装置５０等の外部機器との間でデータの送受信を行うためのものである。
【００４８】
ここで、ＨＤＤ１５の詳細について説明する。図２に示すように、ＨＤＤ１５は、ユーザデータベース（ＤＢ）記憶エリア１５１、およびプログラム記憶エリア１５２を含む複数の記憶エリアを備えている。
【００４９】
ユーザＤＢ記憶エリア１５１（図２参照）には、ユーザＤＢ１５１０（図４参照）が記憶されている。ユーザＤＢ１５１０は、各拠点３０においてリモコン６を使用するユーザに関する情報（を以下、ユーザ情報という）を格納する。ユーザ情報は、ユーザ１名毎に作成されており、例えば、図４に示すように、ユーザＩＤ、ユーザ名、所属およびログイン状態、操作権有無状態を含む。ユーザＩＤとは、各ユーザに付与される固有の識別コードである。ユーザ名は、ユーザの氏名であり、名前と名字に分かれて記憶されている。所属は、ユーザの所属する企業や団体の名称である。それらの情報は、予めユーザによって入力された情報を登録すればよい。また、ログイン状態は、会議に参加中の場合をＯＮとし、未参加の場合はＯＦＦとして記憶している。これは各拠点３０にてユーザが会議に参加する時、自分のＩＤを端末装置５０へ登録すると、そのユーザのログイン状態をＯＮとして記憶する。そして会議が終了した場合、またはユーザが会議途中で退場することを端末装置５０へ入力した場合、そのユーザのログイン状態はＯＦＦとして更新記憶される。
また、操作権有無状態は、各拠点の表示装置５１に表示されている基本表示情報を、リモコン６を用いて操作できる権利を付与されている状態であることをＯＮとして記憶されている。操作権を付与されたリモコンを使用するユーザのみが、表示画面に表示されているアイコンや、画面の文書データ、図形データ等の基本表示情報を操作できる。また、会議当初にどのユーザが使用するリモコンに操作権を付与するかは、予めユーザ同士で協議して端末装置５０に設定してもよいし、ユーザが会議に参加する為に端末装置５０へＩＤ登録した順番で決めてもよい。
【００５０】
ユーザ情報には、他に、例えば、ユーザの電話番号やメールアドレス、役職等、ユーザに関連するその他の情報を含めてもよい。なお、図４では、説明の便宜上、５名分のユーザ情報しか図示されていないが、ユーザＤＢ１５１０に記憶されるユーザ情報の数はこれに限られない。
【００５１】
詳細は図示しないが、図２に示すプログラム記憶エリア１５２には、各種処理を表示制御装置１０に実行させるための各種プログラムが記憶されている。なお、これらのプログラムは、例えばＣＤ−ＲＯＭに記憶されたものがＣＤ−ＲＯＭドライブ（図示外）を介してインストールされ、プログラム記憶エリア１５４に記憶される。または、ネットワーク２０を介してダウンロードされたプログラムが、プログラム記憶エリア１５４に記憶されてもよい。ＨＤＤ１５には、その他、各種処理で使用される設定値等も記憶されている。
【００５２】
次に図３を参照して、リモコン６の電気的構成について説明する。
図３に示すように、リモコン６には、リモコン６を制御するＣＰＵ６１，ＲＡＭ６０，ＲＯＭ６２及び入出力（Ｉ／Ｏ）インタフェイス６８が備えられており、これらはバス  ６７によって相互に接続されている。Ｉ／Ｏインタフェイス６８には、受光部６３，信号送受信部６４、決定ボタン６６が各々接続され、これらは、ＣＰＵ６１，ＲＡＭ６０，ＲＯＭ６２の制御のもとに以下のように動作する。
【００５３】
決定ボタン６６は、リモコン６の操作手段である。リモコンユーザにより決定ボタン６６を押下されると、信号送受信部６４は、リモコン通信装置５５へ操作情報として信号を送信する。なお、決定ボタン６６は、全てのリモコン６に備えられている必要はなく、後述する操作権をリモコンに付与するため、あらかじめ決めたいくつかのリモコンのみに備えられていてもよい。
【００５４】
リモコン６は、いわゆるポインティングディバイスとして表示装置５１の表示画面上にポインタを表示指示する。例えば、受光部６３では、表示装置５１のディスプレイの周囲に設けられている発光部（図示は省略）で発光されている光を検出し、それに基づいてＣＰＵ６１，ＲＡＭ６０，ＲＯＭ６２は、光源の位置、すなわちリモコン６が指示する表示装置５１のディスプレイ上の位置を解析し、ポインタ指示座標情報を作成する。信号送受信部６４は、そのポインタ指示座標情報を赤外線に載せてリモコン通信装置５５へ送信する。また、リモコン６から発した光を表示装置５１側で検出して同様にポインタ指示座標情報を作成することもできる。
【００５５】
さらに、リモコン６は、ユーザが操作する装置であれば、汎用のマウス、トラックボール、ジョイスティックと同様の構成にすることもでき、その動きの方向、動きの量に基づいて端末装置５０でポインタ指示座標情報を作成することもできる。また、会議において、操作権を付与されているユーザが、画面の文書データ、図形データ等の基本表示情報の操作を、上記の各ポインティングディバイスで行うことができるが、キーボードなどもリモコンとして用いることができる。
【００５６】
次に、図５〜図１２を参照して、表示制御装置１０で行われる各種処理について説明する。
【００５７】
まず、図６を参照して、各拠点（以後、拠点３０１、拠点３０２とする）の表示装置５１（５１１．５１２）に表示されているポインタ（６０１ａ、６０２ｂ、６０３ｃ、６０４ｄ）の表示状態について説明する。
【００５８】
拠点３０１と拠点３０２は、図１の拠点３０に相当し、互いに離れた場所に設置されており、ネットワーク２０を介して表示制御装置１０と接続されている。拠点３０１では、ユーザ３０１１とユーザ３０１２が会議に参加している。また、ユーザ３０１１は、図１のリモコン６に相当するリモコン６０１を操作し、表示装置５１１の画面にポインタ６０１ａを指示している。ユーザ３０１２は、リモコン６０２を操作し、ポインタ６０２ｂを指示している。また、同様に拠点３０２では、ユーザ３０２１とユーザ３０２２が会議に参加しており、ユーザ３０２１はリモコン６０３を操作して、表示装置５１２にポインタ６０３ｃを指示している。また、ユーザ３０２２は、リモコン６０４を操作している。しかし、ユーザ３０２２は、リモコン６０４を表示装置５１２に向けていないので、リモコン６０４に対応するポインタ６０４ｄは、所定の位置に固定表示されている。
【００５９】
また、本実施例では、図６に示すように、ポインタの近傍にリモコンのユーザ名が表示されているので、どのユーザが指示しているのか識別することができる。これは、ユーザが会議参加時に各拠点の端末装置５０にユーザＩＤを入力する時、どのリモコンを使用するかを登録して、リモコンとユーザＩＤを対応付けすればよい。また、各ポインタ（６０１ａ、６０２ｂ、６０３ｃ、６０４ｄ）は、図６に示すように、表示される形状（本実施例では、６０１ａ：円形、６０２ｂ：四角形、６０３ｃ：五角形、６０４ｄ：三角形）または色彩の一方又はその両方がそれぞれ異なるので、リモコンとユーザＩＤの対応付けがされていない場合でも、誰がどのポインタを指示するのかユーザ同士で事前に合意を取っておけば、ユーザ名を表示しなくても良い。また、ポインタとしては、ユーザ名のみでもよい。
【００６０】
さらに、拠点３０１の表示装置５１１には、拠点３０２で操作されているポインタ６０３ｃと６０４ｄも表示されており、拠点３０２の表示装置５１２では、拠点３０１で操作されているポインタ６０１ａと６０２ｂも表示されているので、離れた場所でもユーザのリモコン操作状況が把握できる。また、図５では図示を省略しているが、拠点３０１、拠点３０２はそれぞれ、図１に示す端末装置５０、カメラ５２、マイク５３、スピーカ５４も設置されているので、会議に参加している各拠点（３０１、３０２）の映像や音声も使用しながら、会議を進行できるのは言うまでもない。
【００６１】
次に、図７を参照して、表示制御装置１０で行われているポインタ生成処理について説明する。図７は表示制御装置１０で行われるポインタ生成処理のフローチャートである。ポインタ生成処理は、表示制御装置１０の電源がＯＮされると開始され、電源がＯＮである間は、処理終了時から所定時間経過後に繰り返し開始される。まず、各拠点３０の端末装置５０からリモコン情報を取得できたか否かが判断される（Ｓ１）。具体的には、拠点３０の端末装置５０の電源がＯＮされ、表示制御装置１０とネットワーク２０を介して接続状態にされた後、端末装置５０から会議に参加するリモコンのリモコン情報が送信されると、ＣＰＵ１１は、リモコン情報を取得できたと判断する（Ｓ１：ＹＥＳ）が、取得できない場合（Ｓ１：ＮＯ）は、取得できるまで待機状態となる。次にリモコン情報が取得できた場合（Ｓ１：ＹＥＳ）、ポインタ指示座標情報が含まれているかどうか判断する（Ｓ２）。そして、含まれている場合（Ｓ２：ＹＥＳ）は、ポインタの表示固定指示が有るかどうか判断される（Ｓ３００）。表示固定指示についての詳細は後述する。そして、Ｓ３００の処理で表示固定指示が無いと判断された場合（Ｓ３００：ＮＯ）、リモコン情報データテーブル１３１０を作成して、ＲＡＭ１３に更新記憶させる（Ｓ３）。また、Ｓ３００の処理で表示固定指示があると判断された場合は（Ｓ３００：ＹＥＳ）、リモコン情報データテーブル１３１０への更新記憶をせず、表示データ作成処理（Ｓ５）を実行する。したがって表示固定指示があると判断されている間は、リモコン情報データデーブルの中の、対応するポインタ座標値は更新記憶されないので、表示装置内でのポインタの表示位置が固定される。また、ホインタ指示座標情報が含まれていない場合（Ｓ２：ＮＯ）は、表示装置５１内の所定のポインタ座標値をリモコン情報データテーブル１３１０に記憶処理する（Ｓ４）。リモコン情報の中にポインタ指示座標情報が含まれない場合とは、ユーザがリモコン６を表示装置５１の方向へ向けて指示していない状態なので、その状態でも対応するポインタが表示されるように、所定のポインタ座標値を記憶させる。所定の位置とは、会議の進行の妨げにならないような、表示装置５１の画面のできるだけ外郭寄りの位置が望ましく、あらかじめ設定されているが、拠点３０の端末装置５０にて、設定変更ができるものとする。
【００６２】
そこで、図８を参照してリモコン情報データテーブル１３１０について詳細に説明する。リモコン情報データテーブル１３１０は、図５の拠点３０１と拠点３０２で使用されているリモコンから取得したあるタイミングでの情報である。リモコンＩＤは、各拠点で使用されているリモコン６を識別するＩＤである。ユーザＩＤは各拠点の端末装置５０で、会議参加時にユーザから入力されたＩＤであり、ユーザＩＤ入力時にリモコンＩＤと対応付けられている。例えば、リモコンＩＤ：Ｒ００１はユーザＩＤ：Ｙ００１と対応付けられていおり、リモコンＩＤ：Ｒ００２は、ユーザＩＤ：Ｙ００２に対応付けられて記憶されている。
【００６３】
ポインタ座標値は、各拠点３０でユーザがリモコン６を表示装置５１のどの位置に向けて指示しているのかを決定するために、Ｘ方向のＸ座標値と、Ｙ方向のＹ座標値に分解された座標値である。Ｘ座標値について、拠点３０１の表示装置５１１では、画面中央の基準点５１１Ｃを基準（Ｘ座標値：０）として、右側は＋、左側は−の符号を付加して記憶される座標値である。またＹ座標値とは、同様に基準点５１１Ｃを基準（Ｙ座標値：０）として上側は＋、下側は−の符号を付加して記憶される座標値である。拠点３０２でも同様に基準点５１２Ｃをポインタ座標基準点として座標値が決定される。そして定期的にリモコン情報が送信されてくるので、その都度ポインタ座標値を更新記憶させる。
【００６４】
例えば、リモコンＩＤ：Ｒ００１は、ポインタ座標値のＸ座標：−１００、Ｙ座標＋２５０、リモコンＩＤ：Ｒ００２は、Ｘ座標値：＋８０、Ｙ座標値：−５０の情報を取得している。また、リモコンＩＤ：Ｒ００４は、Ｘ座標値：＋５００、Ｙ座標値：−５００になっており、これは、Ｓ２の処理でリモコン情報の中にポインタ指示座標情報が含まれていないと判断された場合（Ｓ２：ＮＯ）で、所定の座標値が記憶されている（Ｓ４）。
【００６５】
各ポインタ形状及び色彩は、予めリモコンＩＤに対応させ、また図４のユーザ名などもリモコンＩＤに対応させて、ＲＡＭ１３のリモコン情報データテーブル１３１０にそれぞれ記憶される。これらの形状や、色彩、氏名などは、各拠点３０の端末装置５０で設定変更できるものとし、適宜変更可能である。
【００６６】
また、操作権は、ユーザＤＢ１５１０（図４）の操作権有無状態がＯＮと記憶されているユーザＩＤと、リモコンＩＤとが対応付けられて記憶され、操作権を有するリモコンには１と記憶される。
【００６７】
続いて、ＣＰＵ１１では、ＲＡＭ１３に記憶されたリモコン情報データテーブル１３１０に基づいて、表示データ作成処理（Ｓ５）を行う。表示データとは、各拠点３０の表示装置５１へ、ポインタ画像を表示するためのデータであり、ＲＡＭ１３のリモコン情報データテーブル１３１０に記憶された各データに基づいて、定期的に作成処理が行われる。
【００６８】
次に、表示データ出力処理（Ｓ７）を実行し、各拠点３０の表示装置５１へ表示データを出力する。
【００６９】
上記のポインタ生成処理により、各拠点では全てのリモコンが指示している各々のポインタを表示することができる。図５での拠点３０１では、ユーザ３０１１（ユーザＩＤ：Ｙ００１）がリモコン６０１（リモコンＩＤ：Ｒ００１）を表示装置５１１に向けて操作し、ポインタ６０１ａを指示している。同様に、ユーザ３０１２（ユーザＩＤ：Ｙ００２）もリモコン６０２（リモコンＩＤ：Ｒ００２）を操作し、ポインタ６０２ｂを指示している。また、拠点３０２では、ユーザ３０１２（ユーザＩＤ：Ｙ００３）が、ポインタ６０３ｃを指示しているが、ユーザ３０２２（ユーザＩＤ：Ｙ００４）はリモコン６０４（リモコンＩＤ：Ｒ００４）を表示装置５１２へ向けて操作していない状態なので、対応するポインタ６０４ｄは外郭寄りの所定の位置に表示されている。
また、拠点３０１と拠点３０２では、それぞれの表示装置（５１１、５１２）に、全てのポインタが表示されているので、会議に参加しているユーザは、他のユーザのリモコン操作状況を確認しながら、リモコンを操作することができる。
【００７０】
次に、図１２を参照して、会議中に表示装置を見ながら、操作権が付与されたリモコンを使用しているユーザが、そのユーザが指示するポインタを他のユーザのポインタに近づけることによって、その近づいたポインタを指示しているリモコンに操作権を付与する処理について説明する。
【００７１】
なお、操作権が付与されたリモコンを使用しているユーザは、リモコンを操作して自身のポインタを、画面上の自由な位置に移動させ、画面の表示を切り換えたり、文書あるいは図形データの一部を指示して修正することができる。しかし、操作権のないリモコンを使用しているユーザは、ポインタを、画面上の自由な位置に移動させ文書あるいは図形データの一部を指示することができるが、修正などすることができない。つまり、表示制御装置１０は、操作権が付与されたリモコンの操作にもとづいて各表示装置５１での基本表示情報を制御する。
【００７２】
図１２は操作権を付与するための操作権付与処理のフローチャートであり、図７のポインタ生成が完了している状態で継続して繰り返し行われる。図７の処理でＲＡＭ１３にリモコン情報データテーブル１３１０が作成されているので、そのリモコン情報データテーブル１３１０からポインタ座標値が読み込まれる（Ｓ１１）。そして、リモコン情報データテーブル１３１０の操作権を有するリモコンＩＤに対応したポインタ座標値と、その他のポインタ座標値との相対距離が算出される（Ｓ１２）。
【００７３】
そこで、ポインタ相対距離算出方法について説明する。相対距離とは、表示画面上でポインタ同士の離れている距離であり、算出方法は一般的な定理であるピタゴラスの三平方の定理を用いればよい。例えば、リモコン情報データテーブル１３１０でのリモコンＩＤ：Ｒ００１とＲ００２の場合の相対距離は、
相対距離＝√｛（１００＋８０）＾２＋（２５０＋５０）＾２｝＝３４８．９・・・
となる。また、同様にリモコンＩＤ：Ｒ００１とＲ００３の場合は、
相対距離＝√｛（３００-１００）＾２＋（２８０―２５０）＾２｝＝２０２．２・・・
となる。
【００７４】
この処理を、操作権を有するリモコンＩＤ：Ｒ００１と他のリモコンとの組み合わせに対して処理された後、図９の相対距離データ１３１１がＲＡＭ１３に記憶される。
【００７５】
そして、相対距離データ１３１１の中に、所定距離以下のポインタ組があるかどうか判断される（Ｓ１４）。ここでいう所定距離とは、あらかじめＲＯＭ１２に記憶されている設定値である。本実施例では、所定距離の設定値が、所定距離：５０に設定されている。
【００７６】
この設定値は、ユーザがポインタを、表示画面上で他のユーザのポインタに重ね合わせるくらい近づけた時の距離を設定しておくのが適正値である。また、この所定距離の設定値は、拠点３０の端末装置５０や、表示制御装置１０にて適宜変更できるものとする。
【００７７】
図９の相対距離データ１３１１の中には、所定距離：５０以下の組が無い、つまり図５のように重なるポインタが無い場合は（Ｓ１４：ＮＯ）、Ｓ１１の処理に戻る。
【００７８】
図６では、図５の状態から拠点３０１のユーザ３０１１が、自分のポインタ６０１ａを、ユーザ３０２１が指示しているポインタ６０３ｃに近づけている。この状態のＲＡＭ１３のリモコン情報データテーブル１３１２は図１０のようになっている。前述したとおりに、このテーブル１３１２からポインタ座標値が読み込まれる（Ｓ１１）。そして、リモコン情報データテーブル１３１２の操作権を有するリモコンＩＤに対応したポインタ座標値と、その他のポインタ座標値との相対距離が算出され（Ｓ１２）、図１１の相対距離データ１３１３がＲＡＭ１３に記憶される。
【００７９】
そして、相対距離データ１３１３の中に、所定距離：５０以下のポインタ組があるかどうか判断される（Ｓ１４）。
【００８０】
図６においては、拠点３０１で参加している３０１１が、リモコン６０１（ＩＤ：Ｒ００１）を操作しながらポインタ６０１ａを、拠点３０２のユーザ３０２１が操作しているリモコン６０３（ＩＤ：Ｒ００３）のポインタ６０３ｃへ重ね合わせている状態なので、図６の状態で処理された相対距離データ１３１３では、リモコンＩＤ：Ｒ００１とＲ００３の組のみが所定距離：５０以下となっている。つまりＳ１４の処理で所定距離以下のポインタ組があると判断される（Ｓ１４：ＹＥＳ）。
【００８１】
また、Ｓ１４の処理で所定距離以下のポインタが複数ある場合は、その中で最も相対距離の小さいポインタ組を決定して処理する。
【００８２】
さらに、所定距離以下のポインタ組があると判断された状態で、操作権を有するリモコンＩＤ：Ｒ００１から、決定ボタンによる操作情報を取得したかどうかが判断される（Ｓ１５）。取得しない場合（Ｓ１５：ＮＯ）は、Ｓ１１の処理へ戻る。また、操作権を有するユーザが、他のリモコンを使用するユーザへ操作権を付与したい場合、決定ボタンを押すことにより操作情報を取得したと判断し（Ｓ１５：ＹＥＳ）、ポインタを所定距離以下であると判断された他のポインタに対応しているリモコンＩＤ：Ｒ００３へ、ＣＰＵ１１は操作権を付与する操作権付与処理を実行し、終了する。
【００８３】
上記操作権付与処理が実行されると、リモコン情報データテーブル１３１２（図１０）のように、リモコンＩＤ：Ｒ００３を操作しているユーザＩＤ：Ｙ００３へ操作権を有することを示す１が記憶され、リモコンＩＤ：Ｒ００１を操作しているユーザＩＤ：Ｙ００１から、操作権が解除されたことを示す０が記憶更新される。
【００８４】
よって、操作権を有するリモコンユーザが他のユーザへ操作権を付与したい場合、上記の様にポインタを重ね合わせて決定ボタンを押すことで操作権を付与できるので、操作権を付与するために表示装置内で専用メニュー画面等の余分なスペースを必要とせず、ポインタの操作で容易にリモコンの操作権を移行することができる。
【００８５】
また、拠点３０２（図６）のユーザ３０２２のような、リモコン６０４を表示装置５１２の方向へ向けていないユーザへ、操作権を付与する場合でも、ポインタ６０４ｄは画面外郭寄りの所定の位置に停止して表示されているので、操作権を付与されているユーザは自身が操作するポインタを、その停止しているポインタ６０４ｄへ近づけることにより、対応するリモコン６０４へ操作権を付与させることができる。
【００８６】
よって、リモコンを机の上等に置いている状態や、手に持ってはいるが表示装置へ向けていない状態のユーザに対しても、操作権を付与することができる。
【００８７】
次に、図１３を参照して、操作権付与処理についての変形実施形態を説明する。
【００８８】
図１３は変形実施形態である操作権付与処理２のフローチャートである。まず、リモコン６から決定ボタンによる操作情報を取得したかどうかの判断がされる（Ｓ１１１）。そこで取得されない場合（Ｓ１１１：ＮＯ）は、取得されるまでＳ１１１の判断処理を継続する。決定ボタンによる操作情報を取得したと判断された場合（Ｓ１１１：ＹＥＳ）、次に操作権が付与されたリモコンからかどうかの判断がされる（Ｓ１１２）。操作権が付与されたリモコンからであると判断された場合（Ｓ１１２：ＹＥＳ）、その他のポインタの表示データを表示装置内で固定する表示固定処理が行われる（Ｓ１１３）。また、Ｓ１１１で決定ボタンによる操作情報取得が、操作権を付与されたリモコン以外から取得した場合（Ｓ１１２：ＮＯ）、その操作情報を送信したリモコンに対応するポインタの表示データを固定する表示固定処理が実行される（Ｓ１２３）。上記Ｓ１１３またはＳ１２３の処理は、図７の表示固定指示（Ｓ３００）に相当する。
【００８９】
次に経過時間を計測するタイマを一旦リセットした後、スタート処理を実行して（Ｓ１２５）、ポインタ座標値読み込み処理が開始される（Ｓ１１４）。次に、リモコン情報データテーブル１３１０の操作権を有するリモコンＩＤに対応したポインタ座標値と、その他のポインタ座標値との相対距離が算出される（Ｓ１１５）。そして、相対距離データ１３１１の中に、所定距離以下のポインタ組があるかどうか判断される（Ｓ１１７）。Ｓ１１７の処理で所定距離以下のポインタが無いと判断された場合（Ｓ１１７：ＮＯ）、所定時間が経過したかどうかが判断され（Ｓ１２６）、経過していない場合（Ｓ１２６：ＮＯ）はＳ１１４の処理へ戻る。また、Ｓ１２６の処理で所定時間経過したと判断された場合は（Ｓ１２６：ＹＥＳ）、処理を終了する。
【００９０】
Ｓ１１７の処理で、所定距離以下のポインタがあると判断された場合（Ｓ１１７：ＹＥＳ）、操作権を有するリモコンから、決定ボタンによる操作情報を取得したかどうかが判断される（Ｓ１１８）。取得しない場合（Ｓ１１８：ＮＯ）は、Ｓ１２６の処理へ戻る。
【００９１】
また、操作権を有するユーザが、他のリモコンを使用するユーザへ操作権を付与したい場合、決定ボタンを押すことにより操作情報を取得したと判断し（Ｓ１１８：ＹＥＳ）、ポインタを所定距離以下であると判断された他のポインタに対応しているリモコンへ、ＣＰＵ１１は操作権を付与する操作権付与処理を実行し、終了する。
【００９２】
上記表示固定処理とは、ポインタに対応するリモコンの操作にかかわらず画面上でのポインタの位置を、決定ボタンによる操作情報を取得した時点で、固定する処理である。さらに上記表示固定処理は、ステップＳ１１９の操作権付与処理が終了した後、または、ステップＳ１２６の処理で所定時間が経過したと判断された後（Ｓ１２６：ＹＥＳ）に、固定処理が解除される。
【００９３】
以上説明したように、この操作権付与処理２を行えば、会議中に操作権を付与されているリモコンを操作するユーザは、他のユーザに操作権を移行したい場合、操作権を付与されているユーザのリモコンの決定ボタンを押下すると、表示装置内に表示されている他のポインタの表示データを所定時間固定することができる。よって、操作権を付与されているユーザは、操作権を付与したいユーザの操作しているポインタに近づけ、決定ボタンを押すことで（Ｓ１１８）、容易に操作権を付与することができる。
【００９４】
また、会議中に操作権を付与されていないリモコンのユーザが操作権を欲する場合、そのユーザのリモコンの決定ボタンを押下すると、自身のリモコンに対応するポインタの表示データが所定時間固定される（Ｓ１２３）。よって操作権が付与されているユーザは、どのユーザが操作権を欲しているのかを容易に確認でき、その操作権を欲しているユーザのポインタに近づけて、決定ボタンを押下することで、容易に操作権を付与することができる。この場合、ポインタの表示を点滅させるなどして、操作権を欲する意思表示を強調してもよい。
【００９５】
また、ステップＳ１１３とＳ１２３のポインタの表示固定処理を、Ｓ１１１にて取得した操作情報が取得している間中、つまりリモコンの決定ボタン６６が押されている間中は、ポインタを表示装置内で固定するような処理にしてもよい。この場合、リモコンユーザは決定ボタンを押したままにすることで、表示装置内の他のポインタまたは、自ポインタの表示固定を維持することができ、より確実に操作権の付与ができる。
【００９６】
次に、図１４〜図１７を参照して、操作権付与処理についての変形実施形態を説明する。図１４は操作権付与処理３のフローチャートである。図１５は本変形実施形態でのユーザＤＢ１６１０の説明図であり、図１６、図１７はリモコン情報データテーブル１６１１、１６１２の説明図である。
【００９７】
まず、本変形実施形態では、会議に参加するユーザの中で一部たとえば１名のみに、その会議に於いて常時操作権を付与された議長権を設定できる。議長権を有するユーザに対応したリモコン６は、操作権が常時付与された状態なので、表示装置５１に表示されている基本表示情報を会議中、常時制御することができる。議長権の設定は、会議開始前にユーザが端末装置５０へＩＤ登録をする時に設定すれば良く、設定されるとユーザＤＢ１６１０（図１５）が記憶される。図１５のユーザＤＢ１６１０は、図４のユーザＤＢ１５１０に議長権有無状態が追加されたユーザＤＢである。
【００９８】
図１５では議長権がユーザＩＤ：Ｙ００１のユーザに設定されているので、議長権有無状態はＯＮとして記憶され、その他のユーザはＯＦＦで記憶されている。議長権は１つの会議に１名のみなので、その会議で議長権が設定されると、他のユーザはその後から議長権を設定できない。
【００９９】
次に図１４を参照して、操作権付与処理３のフローチャートについて説明する。
まず、リモコン６から決定ボタンによる操作情報を取得したかどうかの判断がされる（Ｓ２１１）。そこで取得されない場合（Ｓ２１１：ＮＯ）は、取得されるまでＳ２１１の判断処理を継続する。決定ボタンによる操作情報を取得したと判断された場合（Ｓ２１１：ＹＥＳ）、次に議長権が付与されているリモコン６から取得したかどうかの判断がされる（Ｓ２１２）。議長権が付与されているリモコン（リモコンＩＤ：Ｒ００１）からであると判断された場合（Ｓ２１２：ＹＥＳ）、その他のリモコン（リモコンＩＤ：Ｒ００２〜Ｒ００４）に対応したポインタの表示データを表示装置内で固定する表示固定処理が行われる（Ｓ２１３）。また、Ｓ２１１で決定ボタン６６による操作情報取得が、議長権を付与されているリモコン６以外から取得した場合（Ｓ２１２：ＮＯ）、その操作情報を送信したリモコン６に対応するポインタの表示データを固定する表示固定処理（Ｓ２２３）が実行される。上記Ｓ２１３またはＳ２２３の処理は、図７の表示固定指示（Ｓ３００）に相当する。
【０１００】
次に経過時間を計測するタイマを一旦リセットした後、スタート処理を実行して（Ｓ２２５）、ポインタ座標値読み込み処理が開始される（Ｓ２１４）。
【０１０１】
次に、リモコン情報データテーブル１６１１の議長権を有するリモコンＩＤに対応したポインタ座標値と、その他のポインタ座標値との相対距離が算出される（Ｓ２１５）。そして、相対距離データ１３１１の中に、所定距離以下のポインタ組があるかどうか判断される（Ｓ２１７）。Ｓ２１７の処理で所定距離以下のポインタが無いと判断された場合（Ｓ２１７：ＮＯ）、所定時間が経過したかどうかが判断され（Ｓ２２６）、経過していない場合（Ｓ２２６：ＮＯ）はＳ２１４の処理へ戻る。また、Ｓ２２６の処理で所定時間経過したと判断された場合は（Ｓ２２６：ＹＥＳ）、ポインタの表示固定処理を解除して処理を終了する。
【０１０２】
本変形実施形態でのリモコン情報データテーブル１６１１（図１６）は、図５の拠点３０１と拠点３０２で使用されているリモコンから取得したあるタイミングでの情報であり、それに対応したポインタの相対距離データは図１１の相対距離データ１３１３と同様になる。
【０１０３】
よって、上記Ｓ２１７の処理では、議長権が付与されているリモコンＩＤ：Ｒ００１に対応するポインタと、リモコンＩＤ：Ｒ００３に対応するポインタとの相対距離が所定距離以下の状態であると判断される。
【０１０４】
続いて、議長権が付与されているリモコン６に対応したポインタと、所定距離以下のポインタがあると判断された場合（Ｓ２１７：ＹＥＳ）、次に、議長権が付与されているリモコン６から操作情報を取得したかどうかが判断される（Ｓ２１８）。議長権が付与されているリモコン６から操作情報が取得されない場合（Ｓ２１８：ＮＯ）は、Ｓ２２６の処理に戻る。また、議長権が付与されているリモコン（リモコンＩＤ：Ｒ００１）から操作情報を取得したと判断された場合は、Ｓ２１７の処理で所定距離以下にあると判断されたポインタに対応するリモコンの中に、操作権を付与されているリモコン６があるかどうかが判断される（Ｓ２１９）。
【０１０５】
図１６のリモコン情報データテーブル１６１１では、議長権が付与されているリモコンに対応したポインタとの相対距離が所定距離以下と判断されたリモコン６は、リモコンＩＤ：Ｒ００３のみであり、操作権を付与されていないので、Ｓ２１９では他に操作権を付与されているリモコンは無いと判断される（Ｓ２１９：ＮＯ）。
【０１０６】
上記の様にＳ２１９の処理で、操作権が付与されているリモコン６が無いと判断された場合（Ｓ２１９：ＮＯ）、そのリモコン６（リモコンＩＤ：Ｒ００３）へ操作権を付与する操作権付与処理が実行され、ポインタの表示固定処理を解除して、操作権付与処理３は終了する。
【０１０７】
上記操作件付与処理が実行されると、図１７のリモコン情報データテーブル１６１２に、リモコンＩＤ：Ｒ００３の操作権が１と更新記憶される。また、本変形実施形態では、議長権がリモコンＩＤ：Ｒ００１に付与されているので、リモコンＩＤ：Ｒ００１の操作権状態は変わらず付与された状態のままとなる。
【０１０８】
また、Ｓ２１９の処理で操作権が付与されているリモコン６があると判断された場合（Ｓ２１９：ＹＥＳ）は、そのリモコンから操作権を解除する操作権解除処理が実行され（Ｓ２２０）、ポインタの表示固定処理を解除して、操作権付与処理３が終了する。
【０１０９】
よって、上記実施形態では、議長権が付与されているユーザは、自身の操作権は維持したまま他のユーザに操作権を追加して付与したり、操作権が付与されている他のユーザから操作権を解除することもできるので、会議の進行を円滑に進めることができる。
【０１１０】
また、図示は省略するが、上記の全ての実施形態に於いて、操作権付与処理が実行された場合、操作権が新たに付与されたリモコンに対応するポインタの表示状態を、例えば色を変化させるとか、点滅させるとか、ポインタサイズを変える等をすることにより、ユーザは確実に操作権が新たに付与されたことを確認することができる。
【０１１１】
また、図１３のＳ１１８および図１４のＳ２１８は省略してもよい。この場合、あらかじめ決定ボタンを押すことで（Ｓ１１１、Ｓ２１１）操作権付与の意思表示をし、その後ポインタを近づけるだけで、操作権を付与することができる。
【０１１２】
本実施形態では、表示制御装置１０が、請求項１の「表示制御装置」に相当し、表示制御装置１０のＣＰＵ１１，ＲＯＭ１２，ＲＡＭ１３において図７のＳ１の処理を実行する部分が、「リモコン情報取得手段」、Ｓ５の処理を実行する部分が「表示データ作成手段」、Ｓ７の処理を実行する部分が「表示データ出力手段」、図１２のＳ１２〜Ｓ１４の処理を実行する部分が「ポインタ表示状態判定手段」、Ｓ１６の処理を実行する部分が「操作権付与手段」、図１３のＳ１１３、Ｓ１１４の処理が、請求項２の「ポインタ表示位置固定手段」、Ｓ２２０の処理が請求項１４の「操作権解除手段」に相当する。
【０１１３】
また、表示制御装置１０のＨＤＤ１５に記憶されているユーザＤＢ記憶エリア１５１は、本発明の「ユーザ情報記憶手段」に相当し、図８〜１１、１６、１７のリモコン情報データテーブルが、請求項１での「リモコン情報」に相当し、表示制御装置１０のＲＡＭ１３が、「リモコンユーザ識別情報記憶手段」に相当する。
【０１１４】
なお、前述の実施形態に示される構成や処理は例示であり、各種の処理が変形可能なことはいうまでもない。例えば本実施例のテレビ会議システム１００はクライアント−サーバ型の構成を採っているが、Ｐ２Ｐ（ｐｅｅｒ  ｔｏ  ｐｅｅｒ）型の構成を採っても良く、その場合、表示制御装置１０で処理される各種処理が、拠点３０の端末装置５０で処理されれば良い。
【図面の簡単な説明】
【０１１５】
【図１】テレビ会議システム１００の概略構成を示すシステム構成図である。
【図２】表示制御装置１０の電気的構成を示すブロック図である。
【図３】リモコン６の電気的構成を示すブロック図である。
【図４】ユーザデータベース記憶エリア１５１０の説明図である。
【図５】ポインタの表示状態説明図である。
【図６】ポインタの表示状態説明図である。
【図７】表示制御装置１０で行われるポインタ生成処理のフローチャートである。
【図８】リモコン情報データテーブル１３１０の説明図である。
【図９】ポインタ相対距離データ１３１１の説明図である。
【図１０】リモコン情報データテーブル１３１２の説明図である。
【図１１】ポインタ相対距離データ１３１１の説明図である。
【図１２】表示制御装置１０で行われる操作権付与処理のフローチャートである。
【図１３】変形実施形態の操作権付与処理２についてのフローチャートである。
【図１４】変形実施形態の操作権付与処理３についてのフローチャートである。
【図１５】ユーザデータベース記憶エリア１６１０の説明図である。
【図１６】リモコン情報データテーブル１６１１の説明図である。
【図１７】リモコン情報データテーブル１６１２の説明図である。
【符号の説明】
【０１１６】
６  リモコン
１０  表示制御装置
１５  ＨＤＤ
３０  拠点
５０  端末装置
５１  表示装置
１３１０  リモコン情報データテーブル
１３１１  ポインタ相対距離データ
１５１０  ユーザデータベース
【図１】
2010085554.tif 000003
【図２】
2010085554.tif 000004
【図３】
2010085554.tif 000005
【図４】
2010085554.tif 000006
【図５】
2010085554.tif 000007
【図６】
2010085554.tif 000008
【図７】
2010085554.tif 000009
【図８】
2010085554.tif 000010
【図９】
2010085554.tif 000011
【図１０】
2010085554.tif 000012
【図１１】
2010085554.tif 000013
【図１２】
2010085554.tif 000014
【図１３】
2010085554.tif 000015
【図１４】
2010085554.tif 000016
【図１５】
2010085554.tif 000017
【図１６】
2010085554.tif 000018
【図１７】
2010085554.tif 000019